(57)【特許請求の範囲】
【請求項１】
発泡ゴム製の基布（５）を備えた布材からなる着衣本体（１）の内面（２）には、パール粉末の混入されたウレタン樹脂層（７）が備えられていることを特徴とする水中着衣。
【請求項２】
前記ウレタン樹脂層（７）は、シリカの混入されたゴム層（６）を介して前記基布（５）に接着されてなる請求項１記載の水中着衣。
【請求項３】
前記パール粉末の直径が１０〜６０μｍである請求項１又は２記載の水中着衣。
【発明の詳細な説明】
【０００１】
【発明の属する技術分野】
本発明は、ウェットスーツ、ドライスーツ、ウェイダー、ウェイダー用タイツ等、スキューバーダイビング、水面下での歩行等に好適な水中着衣に関する。
【０００２】
【従来の技術】
従来、この種の水中着衣としては、発泡ゴム製の布材からなるものが使用されている。
この種の水中着衣を着用すれば、発泡ゴムの優れた保温性によって着用者の体温を保つことができ、長時間であっても快適に水中に浸かっていることができる。
【０００３】
【発明が解決しようとする課題】
ところで、上記発泡ゴムは粘着力が高いことから着用者の身体にべた付くため、上記従来の水中着衣は、着用及び脱衣（着脱）が行い難いという問題点を有していた。
かかる問題点を改善すべく、着衣の内面に編み物が貼着されて、べた付きの抑制された、身体との滑りの良好なものが既に社会に提供されている。
【０００４】
しかしながら、上記の如く着衣の内面に編み物が貼着されたものの中には、内面に水が侵入する等によって内面が湿潤した際に、編み物が吸水することから、べた付きが再発して着脱が行い難くなるというものもあり、依然問題を残していた。
【０００５】
そこで、本発明は、上記従来の問題点に鑑みなされたもので、湿潤時及び乾燥時を問わず、着脱を容易に行いうる水中着衣を提供することを課題とするものである。
【０００６】
【課題を解決するための手段】
本発明者は、上記課題を解決すべく鋭意検討した結果、パール粉末が混入されたウレタン樹脂は、湿潤時及び乾燥時の何れにおいても、人間の身体との滑りが極めて良好である事実を発見し、本発明を完成するに至った。
即ち、上記課題を解決すべく、本発明にかかる水中着衣は、発泡ゴム製の基布を備えた布材からなる着衣本体の内面に、パール粉末の混入されたウレタン樹脂層が備えられていることを特徴とする。
【０００７】
上記構成からなる水中着衣は、パール粉末の混入されたウレタン樹脂が乾燥時及び湿潤時の何れにおいても着用者の身体との滑りが良好であることから、該ウレタン樹脂層によって、湿潤時及び乾燥時を問わず、着衣の内面が着用者の身体にべた付く虞が抑制される。
【０００８】
本発明の水中着衣においては、前記ウレタン樹脂層が、シリカ（二酸化ケイ素）の混入されたゴム層を介して前記基布に接着されてなるものが好ましい。
本発明者は、シリカの混入されたゴムがウレタン樹脂及び発泡ゴムと良好に接着する点を発見すると共にこの点に着目し、上記好ましい実施態様を発明した。
即ち、上記好ましい実施態様によれば、シリカの混入されたゴム層が一方の面でウレタン樹脂層と、他方の面で基布と強固に接着するため、ウレタン樹脂層の基布から剥離する虞が減少する。
【０００９】
また、本発明においては、前記パール粉末の直径が１０〜６０μｍであるものが好ましい。
かかる範囲ものであれば、より効果的にべた付きを抑制でき、容易に着脱することができるという利点を有する。
【００１０】
【発明の実施の形態】
以下、本発明の実施の形態について、ウェイダーを例に取り、図面を参照しつつ説明する。
図１は、本実施形態のウェイダーを示す一部破断部Ａを含む斜視図である。
図１に示すようにウェイダー本体１は、発泡ゴム製の基布５（図２参照）を備えた布材が適宜縫製又は成型等されることにより、所望の形状に形成されている。
また、ウェイダー本体１の内面２、即ち、着用した際に着用者の身体に当接又は対向することとなる面には、全域において、パール粉末の混入されたウレタン樹脂層７（図２参照）が備えられている。
【００１１】
図２は、図１の破断部Ａの拡大断面図、即ち、ウェイダー本体１を構成する布材の断面図で、図２においては、向かって左側がウェイダー本体１の内面２側となっている。
【００１２】
図２に示すように、前記布材は、クロロプレンゴムが発泡された発泡ゴム（商品名「ネオプレン」、デュッポン社製）からなるスポンジ層５（基布５）と、該スポンジ層５の外面（即ち、着衣の外側面）に接着剤４を介して貼着されたニット３とを備えている。
【００１３】
さらに、このスポンジ層５の内面（左面）には、未発泡のクロロプレンゴムからなるゴム層６が貼着されている。
このゴム層６は、該ゴム層６を構成するクロロプレンゴムに、未硬化状態で直径０．８〜１．２μｍのシリカが混入された後、加硫によって硬化されてなる。
ここで、シリカの混入量は、ゴム層６のべた付きを防止し且つ後述するウレタン樹脂層７及びスポンジ層５との接着性を良好にする観点から、ゴム層６の全体に対して、２〜５重量％に設定されている。
【００１４】
また、このゴム層６は、グラビア印刷等に使用されるグラビアロールを用いた、いわゆるグラビアコーティングによって、ゴム層６の表面に凹凸を形成しつつスポンジ層５の表面を被覆するように貼着されている。
尚、グラビアコーティング時に、ゴム層６に残存する未架橋の加硫剤がゴム層６のゴムとスポンジ層５のゴムとの架橋に寄与することから、接着剤なしで、ゴム層６はスポンジ層５に強固に接着されている。
【００１５】
前記ゴム層６の内面には、ウレタン樹脂を主成分とするウレタン樹脂層７が貼着されている。
このウレタン樹脂層７は、硬化前に直径１０〜６０μｍのパール粉末が混入された後、架橋によって硬化されてなる。尚、パール粉末としては、球形のもの（角の無いもの）（例えば、商品名「パール粉末ＭＥ１００」、日本光研工業（株）製）が使用されている。
ここで、パール粉末の混入量は、ウレタン樹脂層７全体に対し、１〜１０重量％に設定されている。
【００１６】
また、このウレタン樹脂層７も、グラビアコーティングによって、表面に凹凸を形成しつつゴム層６の表面を被覆するように、ゴム層６に貼着されている。
尚、グラビアコーティング時に、未重合のイソシアネートがウレタンとゴム層６のゴムとの架橋に寄与することから、接着剤なしで、ウレタン樹脂層７はゴム層６に強固に貼着されている。
【００１７】
本実施形態の水中着衣は、上記の如く構成されてなるので、以下の利点を有するものである。
即ち、本実施形態においては、パール粉末として球状のものが使用されてなるので、角のある粉末（例えば、線状、薄片状等）のものに比べて、着用者の身体に対してより一層滑り易く、しかも、摩耗強度もより一層高いものとなるという効果を奏する。
かかる効果について、その作用は明らかでは無いが、パール粉末がウレタン樹脂層７表面から露出した際に、球状のものであれば、摩擦時の引っ掛かりが抑制されるためと考えられる。
【００１８】
また、パール粉末の混入量は、ウレタン樹脂層７の全体に対して、１〜１０重量％に設定されてなるが、かかる範囲に設定されたものは、着用者の身体に対して、より一層滑り易くなる。
【００１９】
さらに、上記実施形態において、ゴム層６は直径０．８〜１．２μｍのシリカが混入されてなるので、スポンジ層５及びウレタン樹脂層７とゴム層６との接着がより一層良好になり、その結果、ウレタン樹脂層７の剥離が一層防止されたものとなる。
【００２０】
しかも、シリカの混入量は、ゴム層６の全体に対して、２〜５重量％に設定されてなるが、かかる範囲に設定されたものは、スポンジ層７（即ち発泡ゴム）及びウレタン層７（即ちウレタン）との接着が更に一層良好で、ウレタン層７の剥離がより一層防止されたものとなる。
【００２１】
また、本実施形態において、ウレタン樹脂層７は、ゴム弾性により伸縮性の優れたクロロプレンゴムからなるゴム層６を介してスポンジ層５に貼着されているので、例えば、合成樹脂接着剤を介してスポンジ層５に接着した場合の如く、ウェイダー本体１を構成する布材の伸縮に伴って、ウレタン樹脂層７とスポンジ層５との間の層で亀裂が発生し難く、従って、亀裂に伴ってウレタン樹脂層７が剥離し易くなるということも抑制できる。
【００２２】
尚、上記実施形態においては、ウレタン樹脂層７は、ウェイダー本体１の内面２全域に設けられたが、本発明においては、ウェイダー本体１の一部（例えば、肘、膝、肩等を覆う部分）のみにウレタン樹脂層７を設ける場合であっても良い。
【００２３】
また、上記実施形態においては、スポンジ層５として、クロロプレンゴムを使用したが、クロロプレンゴムの他、イソプレンゴム、ブチルゴム、スチレンブタジエンゴム等を使用することもできる。
さらに、ゴム層６としてクロロプレンゴムが使用されたが、同様に、イソプレンゴム、ブチルゴム、スチレンブタジエンゴム等を使用することもできる。
【００２４】
尚、上記実施形態においては、水中着衣としてウェイダーを例に取って説明したが、本発明においては、ウェイダーの他、ウェイダー用タイツ、ウェットスーツ、ドライスーツ等、少なくとも一部を水中に漬けた状態で使用する衣服に適用することができる。
【００２５】
【発明の効果】
以上のように、本発明にかかる水中着衣によれば、湿潤時及び乾燥時の何れにおいても、着衣の内面が着用者の身体にべた付く虞が抑制されて、湿潤時及び乾燥時の何れにおいても、着脱を容易に行うことができるという利点を有する。
【図面の簡単な説明】
【図１】一実施形態を示す一部破断を含む斜視図。
【図２】図１の破断断面部を示す拡大断面図。
【符号の説明】
１・・・ウェイダー本体（着衣本体）、２・・・内面、５・・・スポンジ層（基布）、６・・・ゴム層、７・・・ウレタン樹脂層
【図１】
0004454088.tif 000002
【図２】
0004454088.tif 000003